(57)【要約】【課題】  撮影部の撮影に影響を及ぼすことなく、良好に把握することができるハンドベルトおよび携帯端末を提供する。【解決手段】  端末本体１の上端部側に装着する第１装着部２０と、端末本体１の下端部側に装着する第２装着部２１と、第１装着部２０の両側部と第２装着部２１とに取り付けられ、端末本体１の裏面に配置されて端末本体１の裏面に設けられた撮影部１０を開放させる開放部２６を有するベルト本体２２と、を備えている。従って、ベルト本体２２の開放部２６によってベルト本体２２が撮影部１０の撮影に影響を及ぼすことなく、撮影部１０で良好に被写体を撮影することができると共に、端末本体１を確実にかつ良好に把握することができる。【選択図】        図２
2020036086.tif 000002
【特許請求の範囲】
【請求項１】
端末本体の一端部側に装着する第１装着部と、
前記端末本体の他端部側に装着する第２装着部と、
前記第１装着部の両側部と前記第２装着部とに取り付けられ、前記端末本体の一面側に位置するように配置されて前記一面の撮影部を開放させる開放部を有するベルト本体と、
を備えていることを特徴とするハンドベルト。
【請求項２】
端末本体の一端部側に装着する第１装着部と、
前記端末本体の他端部側に装着する第２装着部と、
前記第１装着部の両側部と前記第２装着部とに取り付けられ、前記端末本体の一面側に位置するように配置されて前記一面の撮影部の画角に対応する領域を開放させる開放部を有するベルト本体と、
を備えていることを特徴とするハンドベルト。
【請求項３】
請求項１または請求項２に記載のハンドベルトにおいて、前記ベルト本体は、前記第１装着部の両側部にそれぞれ取り付けられる一対の第１ベルト部と、前記一対の第１ベルト部に対して連結されて前記第２装着部に取り付けられる第２ベルト部と、を備え、前記開放部は、前記一対の第１ベルト部間に設けられていることを特徴とするハンドベルト。
【請求項４】
請求項３に記載のハンドベルトにおいて、前記一対の第１バンド部は、前記第１装着部の両側部から前記端末本体の前記両側部に沿って前記撮影部を避けて前記撮影部よりも前記端末本体の前記他端部側に向けて延長されていることにより、前記開放部を形成していることを特徴とするハンドベルト。
【請求項５】
請求項４に記載のハンドベルトにおいて、前記開放部は、前記撮影部が撮影する画角に前記一対の第１第１ベルト部が映り込まない大きさに形成されていることを特徴とするハンドベルト。
【請求項６】
端末本体と、前記端末本体の一端部側における一面側に設けられた撮影部と、前記端末本体の前記一端部側にハンドベルトの一端部が装着する第１取付部と、前記端末本体の他端部側に前記ハンドベルトの他端部が装着する第２取付部と、を備えていることを特徴とする携帯端末。
【請求項７】
請求項６に記載の携帯端末において、前記ハンドベルトは、請求項１〜請求項５のいずれかに記載されたハンドベルトであることを特徴とする携帯端末。
【発明の詳細な説明】
【技術分野】
【０００１】
この発明は、携帯端末、携帯電話などの携帯機器に用いられるハンドベルトおよび携帯端末に関する。
【背景技術】
【０００２】
例えば、携帯機器においては、特許文献１に記載されているように、機器ケースの裏面に装着される装着ケースによってハンドベルトを機器ケースに対して取り付け、このハンドベルトによって機器ケースを把握する構造のものが知られている。
【先行技術文献】
【特許文献】
【０００３】
【特許文献１】実用新案登録第３１７７６４７号公報
【０００４】
この種のハンドベルトは、環状のテープ状に形成され、機器ケースと装着ケースとの間に挟まれた状態で、装着ケースの外面に機器ケースの長手方向に沿って環状に連続して配置され、このハンドベルトと装着ケースとの間に手を差し込んで機器ケースを把握する構造になっている。
【発明の概要】
【発明が解決しようとする課題】
【０００５】
このような携帯機器のハンドベルトでは、機器ケースの裏面に撮影部が設けられている場合、装着ケースに開放部を撮影部に対応させて設け、この開放部を避けた位置にハンドベルトを配置する必要がある。このため、このハンドベルトでは、撮影部が機器ケースの一端部側における中間部に設けられていると、機器ケースの中間部を避けた位置にハンドベルトを設置しなければならないため、機器ケースを把握する際の保持性が悪い。
【０００６】
この発明が解決しようとする課題は、撮影部の撮影に影響を及ぼすことなく、良好に把握することができるハンドベルトおよび携帯端末を提供することである。
【課題を解決するための手段】
【０００７】
この発明は、端末本体の一端部側に装着する第１装着部と、前記端末本体の他端部側に装着する第２装着部と、前記第１装着部の両側部と前記第２装着部とに取り付けられ、前記端末本体の一面側に位置するように配置されて前記一面の撮影部を開放させる開放部を有するベルト本体と、を備えていることを特徴とするハンドベルトである。
【０００８】
また、この発明は、端末本体の一端部側に装着する第１装着部と、前記端末本体の他端部側に装着する第２装着部と、前記第１装着部の両側部と前記第２装着部とに取り付けられ、前記端末本体の一面側に位置するように配置されて前記一面の撮影部の画角に対応する領域を開放させる開放部を有するベルト本体と、を備えていることを特徴とするハンドベルトである。
【発明の効果】
【０００９】
この発明によれば、撮影部の撮影に影響を及ぼすことなく、良好に把握することができる。
【図面の簡単な説明】
【００１０】
【図１】この発明を適用した携帯端末の一実施形態を示した正面図である。
【図２】図１に示された携帯端末の裏面図である。
【図３】図１に示された携帯端末における端末本体を示し、（ａ）は端末本体の正面図、（ｂ）は端末本体の上辺側の側面図、（ｃ）は端末本体の下辺側の側面図である。
【図４】図３（ａ）に示された端末本体における左右方向の側面を示し、（ａ）は端末本体の左側面図、（ｂ）は端末本体の右側面図である。
【図５】図３（ａ）に示された端末本体の裏面図である。
【図６】図２に示されたハンドベルトを示した平面図である。
【図７】図２に示されたハンドベルトにおける第１装着部を示し、（ａ）は図２のＡ−Ａ断面図、（ｂ）は（ａ）のＢ−Ｂ断面図、（ｃ）は（ａ）のＣ−Ｃ断面図、（ｄ）は（ａ）のＤ−Ｄ断面図である。
【図８】図２に示されたハンドベルトにおける第２装着部を示し、（ａ）は図２のＥ−Ｅ断面図、（ｂ）は（ａ）のＦ−Ｆ断面図、（ｃ）は（ａ）のＧ−Ｇ断面図、（ｄ）は（ａ）のＨ−Ｈ断面図である。
【図９】図１に示された携帯端末の断面を示し、（ａ）は図１のＪ−Ｊ断面図、（ｂ）は図１のＫ−Ｋ断面図、（ｃ）は（ａ）のＬ−Ｌ断面図である。
【図１０】図１に示された携帯端末の断面を示し、（ａ）は図１のＭ−Ｍ断面図、（ｂ）は図１のＮ−Ｎ断面図、（ｃ）は（ａ）のＰ−Ｐ断面図である。
【図１１】図６に示されたハンドベルトにおけるベルト本体を示した展開図である。
【図１２】図１に示された携帯端末の端末本体からハンドベルトの第２装着部のみを取り外して、端末本体をクレードルに装着した状態を示した側面図である。
【発明を実施するための形態】
【００１１】
以下、図１〜図１２を参照して、この発明を適用した携帯端末の一実施形態について説明する。
この携帯端末は、図１および図２に示すように、端末本体１とハンドベルト２とを備えている。端末本体１は、図３〜図５に示すように、長手方向である縦方向（図３（ａ）では上下方向）に長い長方形で、厚みの薄い箱状に形成されている。
【００１２】
この端末本体１の上面には、図３（ａ）に示すように、入力表示部３がほぼ全域に設けられており、この入力表示部３の下辺部側には、キー入力部４が設けられている。入力表示部３は、表示パネルの上面に透明なタッチパネルを設けたものであり、表示パネルで情報を表示した状態でタッチパネルをタッチ操作する構造になっている。キー入力部４は、複数のキー釦を備え、キー操作によって撮影モード、読取モード、通信モードなどの機能を切り替えるものである。
【００１３】
また、この端末本体１の一端部である上端部には、図３（ｂ）に示すように、光学読取部５が設けられている。この光学読取部５は、レーザ光線を端末本体１の上端部の端面に横長に設けられた読取窓部５ａから出射させて、商品などの物品にレーザ光線を照射させ、そのレーザ光線の反射光を読取窓部５ａから取り込んで、物品の情報を読み取るものである。
【００１４】
また、この端末本体１の他端部である下端部には、図３（ｃ）に示すように、アンテナ部６と接続端子部７とが上下に平行に並んで設けられている。アンテナ部６は、電波を送受信して通信するものであり、端末本体１の下端部の内部における下部側に設けられている。接続端子部７は、後述するクレードル４０などの外部機器と電気的に接続するためのものであり、端末本体１の下端部の端面における上部側に設けられて、外部に露出する構造になっている。
【００１５】
また、この端末本体１の左右両側の側面のうち、左側の側面には、図４（ａ）に示すように、左側トリガースイッチ８が端末本体１の長手方向である縦方向（図４（ａ）では左右方向）におけるほぼ中間部に設けられている。また、右側の側面には、図４（ｂ）に示すように、右側トリガースイッチ９が端末本体１の長手方向である縦方向におけるほぼ中間部に設けられている。これら左側トリガースイッチ８と右側トリガースイッチ９とは、光学読取部５を動作させるためのスイッチである。
【００１６】
さらに、この端末本体１の下面である裏面には、図５に示すように、撮影部１０が端末本体１の一端部である上端部側における端末本体１の長手方向と直交する短手方向（幅方向）のほぼ中間部に横長に設けられている。この撮影部１０は、カメラ部であり、被写体の画像を電気的に読み取るものである。また、この端末本体１の裏面には、電池蓋１１が撮影部１０の下側のほぼ全域に設けられている。この電池蓋１１は、充電池などの電池を収納する電池収納部（いずれも図示せず）を開閉可能に塞ぐものである。
【００１７】
また、この端末本体１の一端部側である上端部側には、図３〜図５に示すように、ハンドベルト２の一端部である後述する第１装着部２０が装着する第１取付部１２が設けられている。この第１取付部１２は、端末本体１の上端部側における両側の各角部１２ａが外周から膨らんだ状態で、端末本体１の厚み方向（表裏方向）に湾曲して突出する形状に形成されている。
【００１８】
この第１取付部１２は、図３〜図５に示すように、湾曲状に膨らんだ端末本体１の上端部側における両側の各角部１２ａの側面から裏面に亘って設けられた一対の第１上側係止部１３と、端末本体１の上端部側における下面である裏面の中間部附近に設けられた第２上側係止部１４と、を備えている。
【００１９】
また、この端末本体１の他端部側である下端部側には、図３〜図５に示すように、ハンドベルト２の他端部である後述する第２装着部２１が装着する第２取付部１５が設けられている。この第２取付部１５は、第１取付部１２と同様、端末本体１の下端部側における両側の各角部１５ａが外周から膨らんで、端末本体１の厚み方向（表裏方向）に湾曲して突出する形状に形成されている。
【００２０】
この第２取付部１５は、図３〜図５に示すように、湾曲状に膨らんだ端末本体１の下端部側における両側の各角部１５ａの側面から裏面に亘って設けられた一対の第１下側係止部１６と、端末本体１の下端部側における下面である裏面の中間部附近に設けられた第２下側係止部１７と、を備えている。
【００２１】
一方、ハンドベルト２は、図１、図２および図６に示すように、端末本体１の一端部側である上端部側に装着する第１装着部２０と、端末本体１の他端部側である下端部側に装着する第２装着部２１と、第１装着部２０の両側部と第２装着部２１とに取り付けられ、端末本体１の裏面における上端部側に設けられた撮影部１０を避けた形状に形成されたベルト本体２２と、を備えている。
【００２２】
ベルト本体２２は、図６に示すように、第１装着部２０の両側部にそれぞれ取り付けられる一対の第１ベルト部２３と、第２装着部２１に取り付けられる１つの第２ベルト部２４と、一対の第１ベルト部２３と１つの第２ベルト部２４とを連結する連結ベルト部２５と、一対の第１ベルト部２３間に設けられて端末本体１の撮影部１０を開放させる開放部２６と、を備えている。
【００２３】
第１装着部２０は、図６および図７に示すように、端末本体１の上端部側を包むように、端末本体１の第１取付部１２に着脱可能に装着するものである。この第１装着部２０は、端末本体１の上端部に設けられた光学読取部５の読取窓部５ａに対応して設けられた読取開口部２７と、端末本体１の第１取付部１２における両側の各角部１２ａの裏面側に対応して設けられた一対の第１ベルト通し孔２８と、を備えている。
【００２４】
この場合、一対の第１ベルト通し孔２８は、図６および図７（ｂ）に示すように、ベルト本体２２の一対の第１ベルト部２３がそれぞれ挿入するスリット状の長孔であり、第１ベルト部２３の横断面とほぼ同じか、それよりも少し大きく形成されている。また、これら一対の第１ベルト通し孔２８には、挿入された一対の第１ベルト部２３が折り返されて取り付けられる一対の第１ベルト取付部２８ａが、一対の第１ベルト通し孔２８の長手方向に沿って架け渡されている。
【００２５】
これにより、一対の第１ベルト通し孔２８は、図６および図７（ｂ）に示すように、一対の第１ベルト部２３がそれぞれ挿入されて、一対の第１ベルト取付部２８ａでそれぞれ折り返されて取り付けられた状態で、一対の第１ベルト部２３が一対の第１ベルト通し孔２８の長手方向にそれぞれずれない構造になっている。
【００２６】
また、この第１装着部２０は、図７（ａ）〜図７（ｄ）に示すように、端末本体１の第１取付部１２における両側の角部１２ａの側面から裏面に亘って設けられた一対の第１上側係止部１３にそれぞれ係脱可能に係合する一対の第１上側フック部３０と、端末本体１の上端部側における裏面の中間部附近に設けられた第２上側係止部１４に係脱可能に係合する第２上側フック部３１と、を備えている。
【００２７】
これにより、第１装着部２０は、図２および図９に示すように、端末本体１の上端部側を包むように端末本体１の第１取付部１２に装着された際に、一対の第１上側フック部３０が端末本体１の第１取付部１２における両側の角部１２ａに設けられた一対の第１上側係止部１３にそれぞれ係合し、第２上側フック部３１が端末本体１の上端部側における裏面の中間部附近に設けられた第２上側係止部１４に係合することにより、端末本体１の第１取付部１２に着脱可能に取り付けられて不用意に外れない構造になっている。
【００２８】
一方、第２装着部２１は、図６および図８に示すように、端末本体１の下端部側を包むように、端末本体１の第２取付部１５に着脱可能に装着するものである。この第２装着部２１は、端末本体１の下端部の下部側に設けられたアンテナ部６に対応して設けられたアンテナ開口部を兼ねる横長の第２ベルト通し孔３４と、端末本体１の下端部の上側に設けられて接続端子部７を覆って保護する端子保護部３３と、を備えている。
【００２９】
この場合、第２ベルト通し孔３４は、図６および図８（ａ）に示すように、ベルト本体２２の第２ベルト部２４が挿入するスリット状の長孔であり、アンテナ部６の下側（図８（ａ）では上側）における端末本体１の裏面側に位置して設けられている。すなわち、この第２ベルト通し孔３４は、長手方向と直交する短手方向に長い長孔であり、端末本体１の短手方向である幅方向の長さが、第２ベルト部２４の長手方向と直交する短手方向（幅方向）の長さよりも十分に長く形成されている。
【００３０】
また、この第２ベルト通し孔３４には、図２および図６に示すように、挿入された第２ベルト部２４が折り返されて取り付けられる第２ベルト取付部３４ａが、第２ベルト通し孔３４の長手方向に沿って架け渡されている。これにより、第２ベルト通し孔３４は、第２ベルト部２４が挿入されて、第２ベルト取付部３４ａで折り返されて取り付けられた状態で、ベルト本体２２と端末本体１との間にユーザが手を挿入させて端末本体１を保持する際に、ベルト本体２２が第２ベルト通し孔３４内において、ユーザの手の挿入方向に移動可能な構造になっている。
【００３１】
すなわち、この第２ベルト通し孔３４は、図２および図６に示すように、ベルト本体２２と端末本体１との間にユーザが右手を挿入させる際に、第２ベルト部２４が第２ベルト通し孔３４内において右手の挿入方向（図６では右側）に移動可能で、ベルト本体２２と端末本体１との間にユーザが左手を挿入させる際に、第２ベルト部２４が第２ベルト通し孔３４内において左手の挿入方向（図６では左側）に移動可能な構造になっている。
【００３２】
また、この第２装着部２１は、図８（ａ）〜図８（ｄ）に示すように、端末本体１の第２取付部１５における両側の角部１５ａの側面から裏面に亘って設けられた一対の第１下側係止部１６にそれぞれ係脱可能に係合する一対の第１下側フック部３５と、端末本体１の下端部側における裏面の中間部附近に設けられた第２下側係止部１７に係脱可能に係合する第２下側フック部３６と、を備えている。
【００３３】
これにより、第２装着部２１は、図２および図１０に示すように、端末本体１の下端部側を包むように端末本体１の第２取付部１５に装着された際に、一対の第１下側フック部３５が端末本体１の第２取付部１５における両側の角部１５ａの側面から裏面に亘って設けられた一対の第１下側係止部１６にそれぞれ係合し、第２下側フック部３６が端末本体１の下端部側における裏面の中間部附近に設けられた第２下側係止部１７に係合することにより、端末本体１の第２取付部１５に着脱可能に取り付けられて不用意に外れない構造になっている。
【００３４】
この場合、第２装着部２１は、図９および図１０に示すように、端末本体１の上端部側に装着された第１装着部２０よりも、端末本体１の下端部側から外れ易い構造になっている。すなわち、このハンドベルト２は、端末本体１の下端部と第２装着部２１とが装着して着脱可能に接合する第２接合部が、端末本体１の上端部と第１装着部２０とが装着して着脱可能に接合する第１接合部よりも、端末本体１に対して外れ易い構造になっている。
【００３５】
つまり、第１接合部とは、端末本体１の上端部と第１装着部２０とが装着する際における端末本体１の上端部と第１装着部２０との両方が相互に係わり合う部分のことである。また、第２接合部とは、端末本体１の下端部と第２装着部２１とが装着する際における端末本体１の下端部と第２装着部２１との両方が相互に係わり合う部分のことである。このハンドベルト２では、第２接合部の接合力が、第１接合部の接合力よりも弱い構造になっている。
【００３６】
この場合、この実施形態では、第１接合部の接合力として、端末本体１の上端部側に装着する第１装着部２０の装着力について説明する。また、第２接合部の接合力として、端末本体１の下端部側に装着する第２装着部２１の装着力について説明する。このハンドベルト２は、図９および図１０に示すように、端末本体１の下端部側に対する第２装着部２１の装着力が、端末本体１の上端部側に対する第１装着部２０の装着力よりも弱い構造になっている。
【００３７】
つまり、このハンドベルト２は、図９および図１０に示すように、端末本体１の下端部側の両側の角部１５ａに設けられた一対の第１下側係止部１６に対してそれぞれ係合する第２装着部２１の一対の第１下側フック部３５の係合力が、端末本体１の上端部側の両側の角部１２ａに設けられた一対の第１上側係止部１３に対してそれぞれ係合する第１装着部２０の第１上側フック部３０の係合力よりも弱い構造になっている。
【００３８】
また、このハンドベルト２は、図９および図１０に示すように、端末本体１の裏面における下端部側に設けられた第２装着部２１の一対の第２下側係止部１７に対してそれぞれ係合する第２装着部２１の一対の第２下側フック部３６の係合力が、端末本体１の裏面における上端部側に設けられた第１装着部２０の一対の第２上側係止部１４に対してそれぞれ係合する第１装着部２０の第２上側フック部３１の係合力よりも弱い構造になっている。
【００３９】
これらによって、ハンドベルト２は、図９および図１０に示すように、端末本体１の下端部側に対する第２装着部２１の装着力が、端末本体１の上端部側に対する第１装着部２０の装着力よりも弱いことにより、第２装着部２１が端末本体１の上端部側に装着された第１装着部２０よりも、端末本体１の下端部側から外れ易い構造になっている。
【００４０】
ところで、ベルト本体２２の一対の第１ベルト部２３は、図２および図６に示すように、端末本体１の上端部側に装着された第１装着部２０の両側に設けられた一対の第１ベルト通し孔２８に挿入されて一対の第１ベルト取付部２８ａで折り返された状態で、端末本体１の裏面における両側部に沿って配置される構造になっている。
【００４１】
この場合、一対の第１ベルト部２３は、図２および図６に示すように、端末本体１の長手方向と直交する短手方向の間隔が、端末本体１の上端部側における裏面に設けられた撮影部１０の領域、つまり撮影部１０で撮影する際の撮影部１０の画角に対応する領域とほぼ同じか、それよりも広く形成されている。
【００４２】
また、これら一対の第１ベルト部２３は、図２に示すように、端末本体１の長手方向の長さが、端末本体１の上端部側に装着された第１装着部２０の一対の第１ベルト通し孔２８における一対の第１ベルト取付部２８ａから端末本体１の上端部側における裏面に設けられた撮影部１０までの長さよりも長く形成されている。
【００４３】
すなわち、一対の第１ベルト部２３は、図２に示すように、一対の第１ベルト通し孔２８における一対の第１ベルト取付部２８ａで折り返された長さが、第１装着部２０の一対の第１ベルト通し孔２８から電池蓋１１の上端部までの長さとほぼ同じ長さに形成されている。
【００４４】
これにより、一対の第１ベルト部２３は、図２に示すように、撮影部１０を開放させる開放部２６を形成している。すなわち、この開放部２６は、撮影部１０が撮影する画角に一対の第１ベルト部２３および連結ベルト部２５が映り込まない大きさに形成されている。
【００４５】
この場合、一対の第１ベルト部２３は、図１１に示すように、折り返しを考慮して、展開した状態の長さが、第１装着部２０の一対の第１ベルト通し孔２８から電池蓋１１の上端部までの長さのほぼ２倍の長さで形成され、その長さ方向における中間部に折返し部２３ａが設けられている。また、第１装着部２０の一対の第１ベルト通し孔２８は、図２に示すように、端末本体１の上端部側から端末本体１の両側部に向けて両端側が手前側に少し下るように傾斜して設けられている。
【００４６】
このため、一対の第１ベルト部２３は、図１１に示すように、各一端部が連結ベルト部２５にそれぞれ取り付けられた状態で、連結ベルト部２５から端末本体１の両側部に沿って互いに平行に延び、中間の折返し部２３ａから第１装着部２０の一対の第１ベルト通し孔２８の各傾斜角度に応じて互いに広がる方向に向けて傾斜して延びるように形成されている。
【００４７】
これにより、一対の第１ベルト部２３は、図２および図６に示すように、各一端部が連結ベルト部２５にそれぞれ取り付けられた状態で、各他端部が第１装着部２０の一対の第１ベルト通し孔２８にそれぞれ挿入され、一対の第１ベルト取付部２８ａによって各中間部の折返し部２３ａがそれぞれ折り返された際に、この折り返された各他端部が各一端部に重なり合った状態で連結ベルト部２５に縫合されて固定されることにより、第１装着部２０に取り付けられる構造になっている。
【００４８】
一方、第２ベルト部２４は、図２および図６に示すように、端末本体１の下端部側に装着された第２装着部２１の第２ベルト通し孔３４に挿入されて第２ベルト取付部３４ａに折り返されて取り付けられた状態で、端末本体１の両側部と平行な状態で、端末本体１の長手方向と直交する短手方向の中間部に位置して配置される構造になっている。
【００４９】
この第２ベルト部２４は、図２および図６に示すように、端末本体１の前後方向である長手方向に伸縮性を有するものであり、端末本体１の長手方向と直交する短手方向（幅方向）の長さが、第１ベルト部２３の短手方向（幅方向）の長さよりも少し長く形成されている。また、この第２ベルト部２４は、端末本体１の長手方向の長さが、端末本体１の下端部側に装着された第２装着部２１の第２ベルト通し孔３４から電池蓋１１の上端部までの長さとほぼ同じ長さに形成されている。
【００５０】
すなわち、第２ベルト部２４は、図１１に示すように、折り返しを考慮して、展開した状態の長さが、第２装着部２１の第２ベルト通し孔３４から電池蓋１１の上端部までの長さのほぼ２倍の長さで形成されている。この場合、第２ベルト部２４は、その一面である上面に面状ファスナなどの着脱固定部３７が設けられ、折り返されて重なり合った際に、着脱固定部３７によって重なり合った部分が相互に固定される構造になっている。
【００５１】
これにより、第２ベルト部２４は、図２および図６に示すように、一端部側が連結ベルト部２５の上端部から下端部に亘って取り付けられた状態で、他端部が第２装着部２１の第２ベルト通し孔３４に挿入されて第２ベルト取付部３４ａで折り返され、この折り返された他端部側が一端部側に重なり合った際に、着脱固定部３７によって他端部側が一端部側に固定されることにより、第２装着部２１に取り付けられる構造になっている。
【００５２】
また、連結バンド部２５は、図２、図６および図１１に示すように、上辺が下辺よりも長いほぼ逆台形状に形成されている。すなわち、この連結ベルト部２５は、上辺部の長さが端末本体１の短手方向の長さよりも少し短い長さで、下辺部の長さが第２ベルト部２４の短手方向の長さよりも少し長い長さに形成されている。また、この連結ベルト部２５は、端末本体１の長手方向の長さ、つまり上辺部から下辺部までの長さが、電池蓋１１の上辺部から下辺部までの長さよりも少し短い長さで、両側辺がくびれた形状に形成されている。
【００５３】
これにより、連結ベルト部２５は、図２、図６および図１１に示すように、上辺部が電池蓋１１の上端部に対応し、下辺部が電池蓋１１の下端部よりも少し上辺側に位置した状態で、端滅本体１の裏面側に配置される構造になっている。また、この連結ベルト部２５は、上辺部の両側に一対の第１ベルト部２３の各端部が取り付けられ、上辺部から下辺部に亘って第２ベルト部２４の一端部が取り付けられている。
【００５４】
この場合、ベルト本体２２は、図２、図６および図１１に示すように、連結ベルト部２５の上辺部の両側に一対の第１ベルト部２３の各端部が取り付けられていることにより、これら一対の第１ベルト部２３と連結ベルト部２５とによって、端末本体１の裏面における上端部側に設けられた撮影部１０に対応する開放部２６が、ほぼ四角形状に設けられている。
【００５５】
この開放部２６は、図２に示すように、その広さが、撮影部１０の領域、つまり撮影部１０で撮影する際の撮影部１０の画角に対応する領域とほぼ同じか、それよりも広く形成されていることにより、撮影部１０が被写体を撮影する際に、撮影部１０の画角に一対の第１ベルト部２３と連結ベルト部２５とが映り込まず、ベルト本体２２が撮影部１０の撮影を妨げない構造になっている。
【００５６】
次に、このような携帯端末の作用について説明する。
この携帯端末の端末本体１にハンドベルト２を取り付ける場合には、予め、ハンドベルト２を組み立てる。このときには、ハンドベルト２の第１装着部２０にベルト本体２２の一対の第１ベルト部２３を取り付けると共に、ハンドベルト２の第２装着部２１にベルト本体２２の第２ベルト部２４を取り付ける。
【００５７】
すなわち、第１装着部２０に一対の第１ベルト部２３を取り付ける際には、ベルト本体２２の連結ベルト部２５の上辺部の両側に一対の第１ベルト部２３の各一端部を取り付け、これら一対の第１ベルト部２３の他端部を第１装着部２０の両側に設けられた一対の第１ベルト通し孔２８にそれぞれ挿入させ、一対の第１ベルト部２３における各中間部の折返し部２３ａを一対の第１ベルト通し孔２８の各第１ベルト取付部２８ａに到達させる。
【００５８】
この状態で、一対の第１ベルト部２３の他端部を一対の第１ベルト取付部２８ａに引っ掛けて、一対の第１ベルト部２３を各折返し部２３ａでそれぞれ折り返し、この折り返された各他端部を各一端部に重ね合わせる。この状態で、重ね合わされた各一端部と各他端部とを連結ベルト部２５の上辺部における両側部に縫合により固定する。これにより、一対の第１ベルト部２３が第１装着部２０に取り付けられている。
【００５９】
また、第２装着部２１に第２ベルト部２４を取り付ける際には、予め、第２ベルト部２４の一端部を連結ベルト部２５に取り付ける。このときには、面状ファスナなどの着脱固定部３７を露出させた状態で、第２ベルト部２４の一端部側を連結ベルト部２５の上辺部から下辺部に亘って配置させ、この状態で第２ベルト部２４の一端部側を連結ベルト部２５に縫合により取り付ける。
【００６０】
そして、第２ベルト部２４の他端部を第２装着部２１の第２ベルト通し孔３４に挿入させて、第２ベルト部２４の他端部側におけるほぼ中間部を第２ベルト通し孔３４の第２ベルト取付部３４ａで折り返す。この折り返された他端部側を一端部側に重ね合わせ、この重なり合った一端部側と他端部側とを着脱固定部３７によって相互に着脱可能に固定する。これにより、第２装着部２１に取り付けられ、ハンドベルト２が組み立てられる。
【００６１】
このハンドベルト２を端末本体１に取り付ける場合には、ハンドベルト２の第１装着部２０を端末本体１の上端部側の第１取付部１２に装着すると共に、ハンドベルト２の第２装着部２１を端末本体１の下端部側の第２取付部１５に装着する。すなわち、第１装着部２０を端末本体１の上端部側の第１取付部１２に装着する際には、第１装着部２０が端末本体１の上端部側を包むように、端末本体１の第１取付部１２に第１装着部２０を着脱可能に装着する。
【００６２】
このときには、第１装着部２０に設けられた読取開口部２７が、端末本体１の上端部側に設けられた光学読取部５の読取窓部５ａに対応して配置され、第１装着部２０に設けられた一対の第１ベルト通し孔２８が端末本体１の第１取付部１２における両側の各角部１２ａの裏面側に対応して配置される。
【００６３】
また、このときには、第１装着部２０の一対の第１上側フック部３０が端末本体１の第１取付部１２における両側の角部１２ａの側面から裏面に亘って設けられた一対の第１上側係止部１３にそれぞれ係合する。これと同時に、第１装着部２０の第２上側フック部３１が端末本体１の上端部側における裏面の中間部附近に設けられた第２上側係止部１４に係合する。これらによって、第１装着部２０が不用意に外れることなく端末本体１の第１取付部１２に着脱可能に取り付けられる。
【００６４】
また、ハンドベルト２の第２装着部２１を端末本体１の下端部側の第２取付部１５に装着する際には、第２装着部２１が端末本体１の下端部側を包むように、端末本体１の第２取付部１５に第２装着部２１を着脱可能に装着する。このときには、第２装着部２１に設けられたアンテナ開口部を兼ねる第２ベルト通し孔３４が端末本体１の下端部側の内部に設けられたアンテナ部６に対応して配置される。
【００６５】
このため、アンテナ部６は、電波を送受信する際に、第２装着部２１のアンテナ開口部を兼ねる第２ベルト通し孔３４による電波障害を受けることがなく、良好に送受信ができる。また、このときには、第２装着部２１に設けられた端子保護部３３が端末本体１の下端部側の端面に設けられた接続端子部７を覆って配置されるので、この端子保護部３３によって接続端子部７が確実に保護されると共に、この端子保護部３３によってアンテナ部６が電波障害を受けることがない。
【００６６】
このように、端末本体１の第２取付部１５に第２装着部２１を装着された際には、第２装着部２１の一対の第１下側フック部３５が端末本体１の第２取付部１５における両側の角部１５ａの側面から裏面に亘って設けられた一対の第１下側係止部１６にそれぞれ係合する。これと同時に、第２装着部２１の第２下側フック部３６が端末本体１の下端部側における裏面の中間部附近に設けられた第２下側係止部１７に係合する。これらによって、第２装着部２１が不用意に外れることなく端末本体１の第２取付部１５に着脱可能に取り付けられる。
【００６７】
この状態では、端末本体１の裏面に配置されたベルト本体２２の開放部２６が端末本体の裏面における上端部側に設けられた撮影部１０に対応して撮影部１０を開放させる。すなわち、開放部２６は、ベルト本体２２の一対の第１ベルト部２３間に撮影部１０の領域つまり撮影部１０の画角に対応する領域とほぼ同じか、それよりも広く形成される。これにより、撮影部１０が被写体を撮影する際に、撮影部１０が撮影する画角に一対の第１ベルト部２３および連結ベルト部２５が映り込まず、ベルト本体２２が撮影部１０の撮影を妨げることがない。
【００６８】
また、この状態では、ユーザの手の大きさに応じてベルト本体２２の第２ベルト部２４の長さを調整する。このときには、第２ベルト部２４の一端部側から他端部側を面状ファスナなどの着脱固定部３７の固定力に抗して引き剥がし、この状態で第２ベルト部２４の折返し部を調整することにより、第２ベルト部２４の長さが調整される。
【００６９】
次に、このような携帯端末を使用する場合について説明する。
この場合には、まず、端末本体２とハンドベルト２との間にユーザが手を差し込んで端末本体２を把握する。このとき、ユーザが左右のいずれかの手、または異なる大きさの手をユーザが右手を差し込む際には、ベルト本体２２の第２ベルト部２４の伸縮によって第２ベルト部２４が長手方向に伸びると共に、第２装着部２１の第２ベルト通し孔３４内において手の挿入方向（図６では右側）に移動することにより、端末本体２が手で保持される。
【００７０】
例えば、ユーザが右手を端末本体２とハンドベルト２との間に差し込む際には、ベルト本体２２の第２ベルト部２４の伸縮によって第２ベルト部２４が長手方向に伸びると共に、第２装着部２１の第２ベルト通し孔３４内において右手の挿入方向（図６では右側）に移動することにより、端末本体２が右手で保持される。
【００７１】
また、ユーザが左手を端末本体２とハンドベルト２との間に差し込む際には、ベルト本体２２の第２ベルト部２４の伸縮によって第２ベルト部２４が長手方向に伸びると共に、第２装着部２１の第２ベルト通し孔３４内において左手の挿入方向（図６では左側）に移動することにより、端末本体２が左手で保持される。これにより、ユーザが端末本体２を良好に把握することができる。
【００７２】
このように、ユーザが端末本体２を把握した際には、端末本体１の上面を上に向けて、端末本体１を保持していない手で、端末本体１の入力表示部３およびキー入力部４を操作することができる。この場合、入力表示部３を操作する際には、表示パネルに表示された情報を見ながら透明なタッチパネルをタッチ操作することができる。また、キー入力部４を操作すると、撮影モード、読取モード、通信モードなどの機能が切り替わる。
【００７３】
そして、光学読取部５で商品などの物品の情報を読み取る場合には、キー入力部４を操作して読取モードに設定し、端末本体１の両側面に設けられた左側トリガースイッチ８と右側トリガースイッチ９とのいずれかをユーザがスイッチ操作すると、光学読取部５が動作して商品などの物品の情報を読み取る。すなわち、光学読取部５は、レーザ光線を端末本体１の上端部の端面に横長に設けられた読取窓部５ａから出射させて、商品などの物品にレーザ光線を照射させ、そのレーザ光線の反射光を読取窓部５ａから取り込んで、物品の情報を読み取る。
【００７４】
また、撮影部１０で被写体を撮影する際には、キー入力部４を操作して撮影モードに設定し、キー入力部４を操作すると、撮影部１０が被写体を撮影して被写体の画像を電気信号として取り込む。すなわち、撮影部１０を撮影モードに設定すると、入力表示部３に被写体の画像が表示され、この表示された画像を見ながらキー入力部４を操作して被写体の画像を取り込む。
【００７５】
このときには、撮影部１０がベルト本体２２の開放部２６に対応しているので、ベルト本体２２が撮影部１０の撮影を妨げることがなく、良好に被写体が撮影される。すなわち、開放部２６は、ベルト本体２２の一対の第１ベルト部２３間に撮影部１０の領域つまり撮影部１０の画角に対応する領域とほぼ同じか、それよりも広く形成されるので、撮影部１０が被写体を撮影する際に、撮影部１０が撮影する画角に一対の第１ベルト部２３および連結ベルト部２５が映り込まず、ベルト本体２２が撮影部１０の撮影を妨げることがない。
【００７６】
また、この端末本体１で通信する際には、キー入力部４を操作して通信モードに設定することにより、アンテナ部６によって情報を送受信することができる。このときには、アンテナ部６が端末本体１の下端部内に設けられ、この端末本体１の下端部側にハンドベルト２の第２装着部２１が装着されていても、第２装着部２１に設けられたアンテナ開口部を兼ねる第２ベルト通し孔３４がアンテナ部６に対応する。
【００７７】
このため、第２ベルト通し孔３４によって第２装着部２１がアンテナ部６の電波を遮ることがなく、良好に送受信できる。また、第２装着部２１には、端末本体１の下端部にアンテナ部６と平行に設けられた接続端子部７を覆う端子保護部３３が設けられていることにより、この端子保護部３３によって接続端子部７を良好に保護することができる。
【００７８】
さらに、端末本体１を外部機器であるクレードル４０に接続する際には、図１２に示すように、第２装着部２１を端末本体１の下端部側から取り外して、端末本体１の下端部側の端面に設けられた接続端子部７を露出させる。この状態で、端末本体１の下端部側をクレードル４０内に上方から差し込んで、端末本体１の下端部側の接続端子部７をクレードル４０の接続端子（図示せず）に接続する。
【００７９】
このときには、端末本体１の下端部側に装着された第２装着部２１が端末本体１の上端部側に装着された第１装着部２０よりも外れ易いので、第２装着部２１を端末本体１の下端部側から容易に取り外すことができる。すなわち、このハンドベルト２は、端末本体１の下端部側と第２装着部２１とが装着して着脱可能に接合する第２接合部が、端末本体１の上端部側と第１装着部２０とが装着して着脱可能に接合する第１接合部よりも、端末本体１に対して外れ易い。
【００８０】
つまり、このハンドベルト２は、第２接合部の接合力が、第１接合部の接合力よりも弱いので、第２装着部２１を端末本体１の下端部側から容易に取り外すことができる。言い換えれば、ハンドベルト２は、端末本体１の下端部側に対する第２接合部の接合力としての第２装着部２１の装着力が、端末本体１の上端部側に対する第１接合部の接合力としての第１装着部２０の装着力よりも弱い。
【００８１】
つまり、このハンドベルト２は、端末本体１の下端部側における両側の角部１５ａの側面から裏面に亘って設けられた一対の第１下側係止部１６に対してそれぞれ係合する第２装着部２１の一対の第１下側フック部３５の係合力が、端末本体１の上端部側における両側の角部１２ａの側面から裏面に亘って設けられた一対の第１上側係止部１３に対してそれぞれ係合する第１装着部２０の第１上側フック部３０の係合力よりも弱い。
【００８２】
また、このハンドベルト２は、端末本体１の下端部側における裏面の中間部附近に設けられた第２装着部２１の第２下側係止部１７に対して係合する第２装着部２１の第２下側フック部３６の係合力が、端末本体１の上端部側における裏面の中間部附近に設けられた第１装着部２０の第２上側係止部１４に対して係合する第１装着部２０の第２上側フック部３１の係合力よりも弱い。
【００８３】
このため、このハンドベルト２は、端末本体１の下端部側に対する第２装着部２１の装着力が、端末本体１の上端部側に対する第１装着部２０の装着力よりも弱いので、端末本体１の下端部側に装着された第２装着部２１を端末本体１の上端部側に装着された第１装着部２０よりも容易に取り外すことができる。
【００８４】
この場合、端末本体１の上端部側に対する第１装着部２０の装着力が、端末本体１の下端部側に対する第２装着部２１の装着力よりも強いので、第１装着部２０が端末本体１の上端部側から不用意に外れることがない。このため、ハンドベルト２が端末本体１から脱落してハンドベルト２を紛失することがないので、使い勝手が良い。
【００８５】
このように、第２装着部２１が端末本体１の下端部側から取り外された端末本体１をクレードル４０に装着した状態では、端末本体１の接続端子部７とクレードル４０の接続端子（図示せず）とが電気的に接続されることにより、端末本体１とクレードル４０との間でデータの授受ができると共に、端末本体１の電池を充電することができる。
【００８６】
このように、この携帯端末のハンドベルト２によれば、端末本体１の上端部側に装着する第１装着部２０と、端末本体１の下端部側に装着する第２装着部２１と、第１装着部２０の両側部と第２装着部２１とに取り付けられ、端末本体１の上端部側における下面である裏面に配置されて端末本体１の裏面に設けられた撮影部１０を開放させる開放部２６を有するベルト本体２２と、を備えていることにより、ベルト本体２２が撮影部１０の撮影に影響を及ぼすことなく、撮影部１０で良好に被写体を撮影することができると共に、端末本体１を確実にかつ良好に把握することができる。
【００８７】
すなわち、このハンドベルト２では、ベルト本体２２が、端末本体１の上端部側における下面である裏面に配置されて端末本体１の裏面に設けられた撮影部１０を開放させる開放部２６を有していることにより、ベルト本体２２の開放部２６によって、ベルト本体２２を端末本体１の下面である裏面に配置しても、撮影部１０がベルト本体２２によって撮影の影響を受けることがないので、撮影部１０で良好に被写体を撮影することができる。
【００８８】
また、このハンドベルト２では、第１装着部２０と第２装着部２１とにベルト本体２２が取り付けられていることにより、第１装着部２０を端末本体１の上端部側に装着し、第２装着部２１を端末本体１の下端部側に装着するだけで、ベルト本体２２を端末本体１の裏面に確実に配置させることができるので、ベルト本体２２と端末本体１との間にユーザが手を差し込むことにより、端末本体１を確実にかつ良好に保持することができる。
【００８９】
また、この携帯端末のハンドベルト２によれば、端末本体１の上端部側に装着する第１装着部２０と、端末本体１の下端部側に装着する第２装着部２１と、第１装着部２０の両側部と第２装着部２１とに取り付けられ、端末本体１の上端部側における下面である裏面に配置されて端末本体１の裏面に設けられた撮影部１０の画角に対応する領域を開放させる開放部２６を有するベルト本体２２と、を備えていることにより、ベルト本体２２が撮影部１０の撮影に影響を及ぼすことがなく、より一層、撮影部１０で確実にかつ良好に被写体を撮影できると共に、端末本体１を確実にかつ良好に把握することができる。
【００９０】
すなわち、このハンドベルト２では、ベルト本体２２が、端末本体１の上端部側における下面である裏面に配置されて端末本体１の裏面に設けられた撮影部１０の画角に対応する領域を開放させる開放部２６を有していることにより、ベルト本体２２の開放部２６によって、ベルト本体２２を端末本体１の下面である裏面に配置しても、撮影部１０がベルト本体２２によって撮影の影響を受けることがないので、撮影部１０で良好に被写体を撮影することができる。
【００９１】
この場合、ベルト本体２２は、第１装着部２０の両側部にそれぞれ取り付けられる一対の第１ベルト部２３と、第２装着部２１に取り付けられる第２ベルト部２４と、一対の第１ベルト部２３と第２ベルト部２４とが連結される連結ベルト部２５と、を備えていることにより、一対の第１ベルト部２３間に撮影部１０を開放させる開放部２６を設けることができ、この開放部２６によってベルト本体２２が撮影部１０の撮影に影響を及ぼすことがなく、撮影部１０によって被写体を確実にかつ良好に撮影することができる。
【００９２】
すなわち、一対の第１バンド部２３は、第１装着部２０の両側部から端末本体１の両側部に沿って撮影部１０を避けて撮影部１０よりも端末本体１の下端部側に向けて延長されていることにより、開放部２６を撮影部１０の画角に対応する領域とほぼ同じか、それよりも広く形成することができ、これによりベルト本体２２が撮影部１０の撮影に影響を及ぼすことがなく、より一層、撮影部１０で確実にかつ良好に被写体を撮影することができる。
【００９３】
この場合、開放部２６は、撮影部１０が撮影する画角に一対の第１ベルト部２３が映り込まない大きさに形成されていることにより、撮影部１０によって被写体を撮影する際に、撮影部１０が撮影する画角に一対の第１ベルト部２３が映り込むことがないので、ベルト本体２２が撮影部１０の撮影に影響を及ぼすことがなく、より一層、撮影部１０で確実にかつ良好に被写体を撮影することができる。
【００９４】
また、この携帯端末によれば、端末本体１と、この端末本体１の上端部側における下面である裏面に設けられた撮影部１０と、端末本体１の上端部側にハンドベルト２の一端部が装着する第１取付部１２と、端末本体１の下端部側にハンドベルト２の他端部が装着する第２取付部１５と、を備えていることにより、端末本体１にハンドベルト２を確実にかつ良好に取り付けることができる。
【００９５】
すなわち、ハンドベルト２は、端末本体１の一端部側である上端部側に装着する第１装着部２０と、端末本体１の他端部側である下端部側に装着する第２装着部２１と、第１装着部２０の両側部と第２装着部２１とに取り付けられ、端末本体１の上端部側に設けられた撮影部１０の画角に対応する領域を開放させる開放部２６を有するベルト本体２２と、を備えているので、第１装着部２０を端末本体１の第１取付部１２に装着させ、第２装着部２１を端末本体１の第２取付部１５に装着させるだけで、簡単にかつ容易にハンドベルト２を端末本体１に取り付けることができる。
【００９６】
この場合、ベルト本体２２は、第１装着部２０の両側部にそれぞれ取り付けられる一対の第１ベルト部２３と、第２装着部２１に取り付けられる第２ベルト部２４と、一対の第１ベルト部２３と第２ベルト部２４とが連結される連結ベルト部２５と、を備えていることにより、一対の第１ベルト部２３間に撮影部１０を開放させる開放部２６を確実にかつ良好に設けることができ、この開放部２６によってベルト本体２２が撮影部１０の撮影に影響を及ぼすことがなく、撮影部１０によって被写体を確実にかつ良好に撮影することができる。
【００９７】
なお、上述した実施形態では、第１接合部の接合力として、端末本体１の上端部に装着する第１装着部２０の装着力について述べたが、この発明は、これに限らず、例えば第１接合部の接合力は、第１装着部２０が装着する端末本体１の上端部における第１取付部１２の装着力であっても良い。
【００９８】
また、上述した実施形態では、第２接合部の接合力として、端末本体１の下端部に装着する第２装着部２１の装着力について述べたが、この発明は、これに限らず、例えば第２接合部の接合力は、第２装着部２１が装着する端末本体１の下端部における第２取付部１５の装着力であっても良い。
【００９９】
また、上述した実施形態では、端末本体１の下端部側に装着して係合する第２装着部２１の係合力を、端末本体１の上端部側に装着して係合する第１装着部２０の係合力よりも、弱く設定した場合について述べたが、この発明は、これに限らず、例えば端末本体１の下端部側に装着して嵌合する第２装着部２１の嵌合深さを、端末本体１の上端部側に装着して嵌合する第１装着部２０の嵌合深さよりも、浅く設定した構造であっても良い。
【０１００】
この場合、この発明は、これに限らず、第２装着部２１が装着して嵌合する端末本体１の下端部側の嵌合深さを、第１装着部２０が装着して嵌合する端末本体１の上端部側の嵌合深さよりも、浅く設定した構造であっても良い。
【０１０１】
また、この発明は、上述した実施形態およびその変形例に限らず、例えば、端末本体１の下端部側に装着して嵌合する第２装着部２１の嵌合公差を、端末本体１の上端部側に装着して嵌合する第１装着部２０の嵌合公差よりも、大きく設定した構造であっても良い。この場合にも、この発明は、第２装着部２１が装着して嵌合する端末本体１の下端部側の嵌合公差を、第１装着部２０が装着して嵌合する端末本体１の上端部側の嵌合公差よりも、大きく設定した構造であっても良い。
【０１０２】
また、この発明は、上述した実施形態およびその各変形例に限らず、例えば、端末本体１の下端部側に装着して係合する第２装着部２１における第１下側フック部３５と第２下側フック部３６との変形力を、端末本体１の上端部側に装着して嵌合する第１装着部２０の第１上側フック部３０と第２上側フック部３１との変形力よりも、小さく設定した構造であっても良い。
【０１０３】
この場合にも、この発明は、第２装着部２１における第１下側フック部３５と第２下側フック部３６とが装着して係合する際にこれらを変形させる端末本体１の下端部側の変形力を、第１装着部２０の第１上側フック部３０と第２上側フック部３１とが装着して嵌合する際にこれらを変形させる端末本体１の上端部側の変形力よりも、小さく設定した構造であっても良い。
【０１０４】
また、この発明は、上述した実施形態およびその各変形例に限らず、例えば、端末本体１の下端部側に装着して係合する第２装着部２１における第１下側フック部３５と第２下側フック部３６との係合長さを、端末本体１の上端部側に装着して嵌合する第１装着部２０の第１上側フック部３０と第２上側フック部３１との係合長さよりも、短く設定した構造であっても良い。
【０１０５】
この場合にも、この発明は、第２装着部２１における第１下側フック部３５と第２下側フック部３６とが装着して係合する端末本体１の下端部側の係合長さを、第１装着部２０の第１上側フック部３０と第２上側フック部３１とが装着して嵌合する端末本体１の上端部側の係合長さよりも、短く設定した構造であっても良い。
【０１０６】
さらに、この発明は、上述した実施形態およびその各変形例に限らず、例えば、端末本体１の下端部側に装着する際の第２装着部２１の摩擦抵抗を、端末本体１の上端部側に装着する際の第１装着部２０の摩擦抵抗よりも、小さく設定した構造であっても良い。この場合にも、この発明は、第２装着部２１が装着する際の端末本体１の下端部側の摩擦抵抗を、第１装着部２０が装着する際の端末本体１の上端部側の摩擦抵抗よりも、小さく設定した構造であっても良い。
【０１０７】
なおまた、上述した実施形態およびその各変形例では、端末本体１の下端部側に装着する第２装着部２１に、端末本体１のアンテナ部６を開放させるアンテナ開口部を兼ねる第２ベルト通し孔３４を設けた場合について述べたが、この発明は、これに限らず、第２装着部２１に設けられたアンテナ開口部を兼ねる第２ベルト通し孔３４に対応させてアンテナ部６を端末本体１の下端部側に設けた構造であっても良い。
【０１０８】
また、上述した実施形態およびその各変形例では、端末本体１の下端部側にアンテナ部６を設け、この端末本体１の下端部側に装着する第２装着部２１にアンテナ開口部を兼ねる第２ベルト通し孔３４を設けた場合について述べたが、この発明は、これに限らず、端末本体１の上端部側にアンテナ部６を設け、この端末本体１の上端部側に装着する第１装着部２０にアンテナ開口部を兼ねる第２ベルト通し孔３４を設けた構造であっても良い。
【０１０９】
さらに、上述した実施形態およびその各変形例では、携帯端末に適用した場合について述べたが、この発明は、必ずしも携帯端末である必要はなく、例えば携帯電話や携帯情報通信機などの携帯機器に適用することができる。
【０１１０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１１１】
（付記）
請求項１に記載の発明は、端末本体の一端部側に装着する第１装着部と、前記端末本体の他端部側に装着する第２装着部と、前記第１装着部の両側部と前記第２装着部とに取り付けられ、前記端末本体の一面側に位置するように配置されて前記一面の撮影部を開放させる開放部を有するベルト本体と、を備えていることを特徴とするハンドベルトである。
【０１１２】
請求項２に記載の発明は、端末本体の一端部側に装着する第１装着部と、前記端末本体の他端部側に装着する第２装着部と、前記第１装着部の両側部と前記第２装着部とに取り付けられ、前記端末本体の一面側に位置するように配置されて前記一面の撮影部の画角に対応する領域を開放させる開放部を有するベルト本体と、を備えていることを特徴とするハンドベルトである。
【０１１３】
請求項３に記載の発明は、請求項１または請求項２に記載のハンドベルトにおいて、前記ベルト本体は、前記第１装着部の両側部にそれぞれ取り付けられる一対の第１ベルト部と、前記一対の第１ベルト部に対して連結されて前記第２装着部に取り付けられる第２ベルト部と、を備え、前記開放部は、前記一対の第１ベルト部間に設けられていることを特徴とするハンドベルトである。
【０１１４】
請求項４に記載の発明は、請求項３に記載のハンドベルトにおいて、前記一対の第１バンド部は、前記第１装着部の両側部から前記端末本体の前記両側部に沿って前記撮影部を避けて前記撮影部よりも前記端末本体の前記他端部側に向けて延長されていることにより、前記開放部を形成していることを特徴とするハンドベルトである。
【０１１５】
請求項５に記載の発明は、請求項４に記載のハンドベルトにおいて、前記開放部は、前記撮影部が撮影する画角に前記一対の第１第１ベルト部が映り込まない大きさに形成されていることを特徴とするハンドベルトである。
【０１１６】
請求項６に記載の発明は、端末本体と、前記端末本体の一端部側における一面に設けられた撮影部と、前記端末本体の前記一端部側にハンドベルトの一端部が装着する第１取付部と、前記端末本体の他端部側に前記ハンドベルトの他端部が装着する第２取付部と、を備えていることを特徴とする携帯端末である。
【０１１７】
請求項７に記載の発明は、請求項６に記載の携帯端末において、前記ハンドベルトは、請求項１〜請求項５のいずれかに記載されたハンドベルトであることを特徴とする携帯端末である。
【符号の説明】
【０１１８】
１  携帯端末
２  ハンドベルト
３  入力表示部
４  キー入力部
５  光学読取部
６  アンテナ部
７  接続端子部
１０  撮影部
１１  電池蓋
１２  第１取付部
１２ａ  角部
１３  第１上側係止部
１４  第２上側係止部
１５  第２取付部
１５ａ  角部
１６  第１下側係止部
１７  第２下側係止部
２０  第１装着部
２１  第２装着部
２２  ベルト本体
２３  第１ベルト部
２３ａ  折返し部
２４  第２ベルト部
２５  連結ベルト部
２６  開放部
２７  読取開口部
２８  第１ベルト通し孔
３０  第１上側フック部
３１  第２上側フック部
３３  端子保護部
３４  第２ベルト通し孔
３５  第１下側フック部
３７  着脱固定部
３６  第２下側フック部
４０  クレードル
【図１】
2020036086.tif 000003
【図２】
2020036086.tif 000004
【図３】
2020036086.tif 000005
【図４】
2020036086.tif 000006
【図５】
2020036086.tif 000007
【図６】
2020036086.tif 000008
【図７】
2020036086.tif 000009
【図８】
2020036086.tif 000010
【図９】
2020036086.tif 000011
【図１０】
2020036086.tif 000012
【図１１】
2020036086.tif 000013
【図１２】
2020036086.tif 000014